(57)【要約】【課題】指濃度および配合の調整をすることなく、濡れた箇所その他の様々な箇所から鮮明に指紋を採取できる指紋検出液を提供する。【手段】指紋検出液は、顔料粒子と、シリコーンとを含む。指紋検出液は、カチオン系界面活性剤とイオン化液とをさらに含むことを特徴とする。イオン化液は、カチオン系界面活性剤をイオン化させる。カチオン系界面活性剤が、オクチルジメチルエチルアンモニウムエチルサルフェートを含むことが望ましい。【選択図】図１
2020189160.tif 000002
【特許請求の範囲】
【請求項１】
顔料粒子と、
シリコーンとを含む指紋検出液であって、
カチオン系界面活性剤と、
前記カチオン系界面活性剤をイオン化させるイオン化液とをさらに含むことを特徴とする指紋検出液。
【請求項２】
前記カチオン系界面活性剤が、下記式（１）で表されるイオンを有するイオン結晶を含むことを特徴とする請求項１に記載の指紋検出液。
【化１】
2020189160.tif 000011
［式中、Ｒ１，Ｒ２は炭素原子数１〜１２のアルキル基であり、Ｒ３はアリール基と炭素原子数１〜１０のアルキル基とからなる群より選択される少なくとも１つを含む部位である。］
【請求項３】
前記イオン結晶が、前記式（１）で表されるイオンのうちＲ３が炭素原子数１〜１０のアルキル基である前記イオンを有することを特徴とする請求項２に記載の指紋検出液。
【請求項４】
前記イオン化液が水を含むことを特徴とする請求項１に記載の指紋検出液。
【請求項５】
前記シリコーンが、下記式（２）で表されるポリエーテル変性シリコーンであることを特徴とする請求項１に記載の指紋検出液。
【化２】
2020189160.tif 000012
［式中、Ｒ４は式（３）：−Ｒ５−Ｏ−（Ｃ２Ｈ４Ｏ）ａ（Ｃ３Ｈ６Ｏ）ｂＲ６で示されるポリオキシアルキレン基（式中、Ｒ５は炭素原子数２〜３０のアルキレン基であり、Ｒ６は式（４）：−（ＯＣ）−Ｒ７で表される置換基（Ｒ７は炭素原子数１〜３０のアルキル基））であり、ａは１≦ａ≦５０であり、ｂは１≦ｂ≦５０であり、１０≦ａ＋ｂ≦１００であり、ｍ，ｎはそれぞれ１００≦ｍ≦５００、１≦ｎ≦４０である。］
【請求項６】
前記顔料粒子が、酸化チタン、酸化アルミニウム、酸化亜鉛、酸化ジルコニウム、ベンガラ、黄酸化鉄、黒酸化鉄、シリカ、カーボンブラック、アルミニウム粉、銅粉、よりなる群より選んだ少なくとも一種又はそれらの複合体を含むことを特徴とする請求項１に記載の指紋検出液。
【発明の詳細な説明】
【技術分野】
【０００１】
本発明は指紋検出液に関する発明である。本発明は特に犯罪捜査に適した指紋検出液に関する発明である。
【背景技術】
【０００２】
犯罪捜査の際には、いずれかの箇所に潜在的に形成された指紋を採取しなければならない。指紋は、手の指が接触した箇所に指紋隆線の汗腺開口からの分泌物（以下、この分泌物は「指紋成分」と称される。）がいずれかの箇所に付着することで形成される。その指紋を採取する方法は、採取者がその分泌物に対して付着性の微粉末を塗布した後、採取者がその微粉末をゼラチン紙等に付着させるという方法が一般的である。その微粉末がゼラチン紙等に付着することで、指紋は視覚化される。
【０００３】
そのような微粉末の例には、アルミニウム粉末とカーボンブラックとがある。これらの微粉末には、水に濡れた箇所からの指紋採取が困難という問題点がある。これらの微粉末によって水に濡れた箇所から指紋を採取する場合、その箇所が自然に乾燥するまで待つか何らかの手段でその箇所を乾燥させる必要がある。さらに、これらの微粉末には、クラフトテープからの指紋採取が困難という問題点がある。
【０００４】
特許文献１は、指紋検出液を開示する。この指紋検出液は、顔料粉末とシリコーン化合物とを極性溶媒で希釈したものである。特許文献１に開示された指紋検出液は、水に濡れた箇所からの指紋採取が可能である。
【０００５】
特許文献２は、指紋検出液を開示する。この指紋検出液は、顔料粉末と界面活性剤とを水で希釈したものである。特許文献２に開示された指紋検出液は、水に濡れた箇所からの指紋採取が可能である。
【先行技術文献】
【特許文献】
【０００６】
【特許文献１】国際公開第９８／５１２１９号
【特許文献２】特開２００５−２７９８６号公報
【発明の概要】
【発明が解決しようとする課題】
【０００７】
特許文献１に開示された指紋検出液にはクラフトテープからの指紋採取が困難という問題点がある。特許文献２に開示された指紋検出液には、指紋が採取される箇所により指紋の採取能力に違いがあるという問題点がある。特許文献２に開示された指紋検出液には、指紋が採取される箇所に応じて濃度および配合の少なくとも一方を調整する必要があるという問題点もある。このことは、指紋採取の手順を煩雑にする。
【０００８】
本発明の目的は、濃度および配合の調整をすることなく濡れた箇所その他の様々な箇所から鮮明に指紋を採取できる指紋検出液を提供することにある。
【課題を解決するための手段】
【０００９】
上記の課題を解決するために、本発明の請求項１にかかる指紋検出液は、顔料粒子と、シリコーンとを含む。請求項１にかかる指紋検出液は、カチオン系界面活性剤と、イオン化液とをさらに含むことを特徴とする。イオン化液はカチオン系界面活性剤をイオン化させる。
【００１０】
また、本発明の請求項２にかかる指紋検出液は、請求項１にかかる発明の構成に加えて、カチオン系界面活性剤が次に述べられるイオン結晶を含むことを特徴とする。そのイオン結晶は、下記式（１）で表されるイオンを有する。
【化１】
2020189160.tif 000003
［式中、Ｒ１，Ｒ２は炭素原子数１〜１２のアルキル基であり、Ｒ３はアリール基と炭素原子数１〜１０のアルキル基とからなる群より選択される少なくとも１つを含む部位である。］
【００１１】
また、本発明の請求項３にかかる指紋検出液は、請求項２にかかる発明の構成に加えて、イオン結晶が、前記式（１）で表されるイオンのうちＲ３が炭素原子数１〜１０のアルキル基であるイオンを有することを特徴とする。
【００１２】
また、本発明の請求項４にかかる指紋検出液は、請求項１にかかる発明の構成に加えて、イオン化液が水を含むことを特徴とする。
【００１３】
また、本発明の請求項５にかかる指紋検出液は、請求項１にかかる発明の構成に加えて、シリコーンが、下記式（２）で表されるポリエーテル変性シリコーンであることを特徴とする。
【化２】
2020189160.tif 000004
［式中、Ｒ４は式（３）：−Ｒ５−Ｏ−（Ｃ２Ｈ４Ｏ）ａ（Ｃ３Ｈ６Ｏ）ｂＲ６で示されるポリオキシアルキレン基（式中、Ｒ５は炭素原子数２〜３０のアルキレン基であり、Ｒ６は式（４）：−（ＯＣ）−Ｒ７で表される置換基（Ｒ７は炭素原子数１〜３０のアルキル基））であり、ａは１≦ａ≦５０であり、ｂは１≦ｂ≦５０であり、１０≦ａ＋ｂ≦１００であり、ｍ，ｎはそれぞれ１００≦ｍ≦５００、１≦ｎ≦４０である。］
【００１４】
また、本発明の請求項６にかかる指紋検出液は、請求項１にかかる発明の構成に加えて、顔料粒子が、酸化チタン、酸化アルミニウム、酸化亜鉛、酸化ジルコニウム、ベンガラ、黄酸化鉄、黒酸化鉄、シリカ、カーボンブラック、アルミニウム粉、銅粉、よりなる群より選んだ少なくとも一種又はそれらの複合体を含むことを特徴とする。
【発明の効果】
【００１５】
本発明の指紋検出液は、濃度および配合の調整をすることなく濡れた箇所その他の様々な箇所から鮮明に指紋を採取できる。
【図面の簡単な説明】
【００１６】
【図１】指紋がつけられた検体（素材はアクリル）へ実施例１にかかる指紋検出液を噴霧し水洗した結果得られた指紋の写真である。
【図２】指紋がつけられた検体（素材はガラス）へ実施例１にかかる指紋検出液を噴霧し水洗した結果得られた指紋の写真である。
【図３】指紋がつけられた検体（素材はタイル）へ実施例１にかかる指紋検出液を噴霧し水洗した結果得られた指紋の写真である。
【図４】指紋がつけられた検体（素材はアクリル）へ実施例２にかかる指紋検出液を噴霧し水洗した結果得られた指紋の写真である。
【図５】指紋がつけられた検体（素材はガラス）へ実施例２にかかる指紋検出液を噴霧し水洗した結果得られた指紋の写真である。
【図６】指紋がつけられた検体（素材はタイル）へ実施例２にかかる指紋検出液を噴霧し水洗した結果得られた指紋の写真である。
【図７】指紋がつけられた検体（素材はクラフトテープの非粘着面）へ実施例２にかかる指紋検出液を噴霧し水洗した結果得られた指紋の写真である。
【図８】指紋がつけられた検体（素材はクラフトテープの粘着面）へ実施例２にかかる指紋検出液を噴霧し水洗した結果得られた指紋の写真である。
【図９】指紋がつけられた検体（素材はアクリル）へ比較例１にかかる指紋検出液を噴霧し水洗した結果得られた指紋の写真である。
【図１０】指紋がつけられた検体（素材はガラス）へ比較例１にかかる指紋検出液を噴霧し水洗した結果得られた指紋の写真である。
【図１１】指紋がつけられた検体（素材はタイル）へ比較例１にかかる指紋検出液を噴霧し水洗した結果得られた指紋の写真である。
【図１２】指紋がつけられた検体（素材はアクリル）へ比較例２にかかる指紋検出液を噴霧し水洗した結果得られた指紋の写真である。
【図１３】指紋がつけられた検体（素材はガラス）へ比較例２にかかる指紋検出液を噴霧し水洗した結果得られた指紋の写真である。
【図１４】指紋がつけられた検体（素材はタイル）へ比較例２にかかる指紋検出液を噴霧し水洗した結果得られた指紋の写真である。
【図１５】指紋がつけられた検体（素材はアクリル）へ比較例３にかかる指紋検出液を噴霧し水洗した結果得られた指紋の写真である。
【図１６】指紋がつけられた検体（素材はガラス）へ比較例３にかかる指紋検出液を噴霧し水洗した結果得られた指紋の写真である。
【図１７】指紋がつけられた検体（素材はタイル）へ比較例３にかかる指紋検出液を噴霧し水洗した結果得られた指紋の写真である。
【図１８】指紋がつけられた検体（素材はクラフトテープの非粘着面）へ比較例３にかかる指紋検出液を噴霧し水洗した結果得られた指紋の写真である。
【図１９】指紋がつけられた検体（素材はクラフトテープの粘着面）へ比較例３にかかる指紋検出液を噴霧し水洗した結果得られた指紋の写真である。
【００１７】
［指紋検出用粉末の成分］
本発明にかかる指紋検出液は、顔料粒子（顔料として知られる周知の物質を含む粒子のこと）と、シリコーンとに加え、イオン化液と、カチオン系界面活性剤とを含むことを特徴とする。
【００１８】
シリコーンばかりでなく、カチオン系界面活性剤を含むことが、顔料粒子と指紋成分との親和性を高める。これにより、指紋成分以外の物質への顔料粒子の付着が抑えられる。カチオン系界面活性剤とシリコーンとを併用することで、それぞれを単独で用いた場合よりも、指紋が視覚化されたときその指紋の像がより鮮明になる。
【００１９】
本発明にかかる指紋検出液においてカチオン系界面活性剤の種類は特に限定されない。好ましくは、本発明にかかるカチオン系界面活性剤は、次に述べられるイオン結晶を含む。そのイオン結晶は、下記式（１）で表されるイオンを含むものである。
【化３】
2020189160.tif 000005
［式中、Ｒ１，Ｒ２は炭素原子数１〜１２のアルキル基であり、Ｒ３はアリール基と炭素原子数１〜１０のアルキル基とからなる群より選択される少なくとも１つを含む部位である。］
【００２０】
上記の式（１）で表されるイオンを含むイオン結晶の例には、トリブチルベンジルアンモニウムクロライドとラウリルジメチルベンジルアンモニウムクロライドとがある。好ましくは、本発明にかかるカチオン系界面活性剤は、イオン結晶としてラウリルジメチルベンジルアンモニウムクロライドを含む。ラウリルジメチルベンジルアンモニウムクロライドの化学構造は下記式（３）で表される。
【化４】
2020189160.tif 000006
【００２１】
好ましくは、上述されたイオン結晶は、次に述べられるイオンを有する。そのイオンは、上記の式（１）で表されるイオンのうちＲ３が炭素原子数１〜１０のアルキル基であるイオンである。
【００２２】
上記の式（１）で表されるイオンのうちＲ３が炭素原子数１〜１０のアルキル基であるイオンを含むイオン結晶の例には、ラウリルトリメチルアンモニウムクロライド、セチルトリメチルアンモニウムクロライド、ステアリルトリメチルアンモニウムクロライド、オクチルジメチルエチルアンモニウムエチルサルフェート、ラウリルジメチルエチルアンモニウムエチルサルフェート、パルミチルジメチルエチルアンモニウムエチルサルフェート、ジデシルジメチルアンモニウムクロライド、及び、オクチルジメチルエチルアンモニウムエチルサルフェートがある。好ましくは、本発明にかかるカチオン系界面活性剤は、ジデシルジメチルアンモニウムクロライド、及び、オクチルジメチルエチルアンモニウムエチルサルフェートの少なくとも一方を、イオン結晶として含む。ジデシルジメチルアンモニウムクロライドの化学構造は下記式（４）で表される。
【化５】
2020189160.tif 000007
【００２３】
オクチルジメチルエチルアンモニウムエチルサルフェートの化学構造は下記式（５）で表される。
【化６】
2020189160.tif 000008
【００２４】
本発明にかかる指紋検出液においてカチオン系界面活性剤の重量％は特に限定されない。ただし、このカチオン系界面活性剤の重量％は、０．０１重量％以上１０．００重量％以下であることが好ましい。
【００２５】
本発明においてシリコーンの化学構造は特に限定されない。本発明にかかる指紋検出液が含み得るシリコーンの例には、ジメチルシリコーン、ジメチルポリシロキサン、ジメチコノール、フェニルトリメチコンがある。好ましくは、本発明にかかる指紋検出液は、上述されたシリコーンとして下記式（２）で表されるポリエーテル変性シリコーンを含む。なお、このポリエーテル変性シリコーンの一種として、ポリオキシエチレン・ポリオキシプロピレン変性シリコーンがある。
【化７】
2020189160.tif 000009
［式中、Ｒ４は式（３）：−Ｒ５−Ｏ−（Ｃ２Ｈ４Ｏ）ａ（Ｃ３Ｈ６Ｏ）ｂＲ６で示されるポリオキシアルキレン基（式中、Ｒ５は炭素原子数２〜３０のアルキレン基であり、Ｒ６は式（４）：−（ＯＣ）−Ｒ７で表される置換基（Ｒ７は炭素原子数１〜３０のアルキル基））であり、ａは１≦ａ≦５０であり、ｂは１≦ｂ≦５０であり、１０≦ａ＋ｂ≦１００であり、ｍ，ｎはそれぞれ１００≦ｍ≦５００、１≦ｎ≦４０である。］
【００２６】
本発明にかかる指紋検出液においてシリコーンの重量％は特に限定されない。ただし、本発明にかかる指紋検出液が上記式（２）で示されるポリエーテル変性シリコーンを含む場合、そのポリエーテル変性シリコーンの重量％は、０．１０重量％以上４０．００重量％以下であることが好ましい。
【００２７】
どのような形態でシリコーンが含まれるかという点は、本発明にかかる指紋検出液において特に限定されない。例えば、シリコーンは、液中に分散していても良い。あるいは、シリコーンは、顔料粒子の表面に形成された被膜（本発明の説明においてはこの被膜は「表層」と称される。）の成分であっても良い。あるいは、シリコーンは、顔料粒子の成分の一種であってもよい。
【００２８】
シリコーンが顔料粒子の表層に含まれている場合、その表層の厚さは特に限定されない。その表層の具体的な形態も特に限定されない。
【００２９】
本発明にかかる指紋検出用粉末において顔料粒子の具体的な成分は特に限定されない。顔料粒子の成分のうち顔料として周知の物質の例には、酸化チタン、酸化アルミニウム、酸化亜鉛、酸化ジルコニウム、ベンガラ、黄酸化鉄、黒酸化鉄、シリカ、カーボンブラック、アルミニウム粉、および、銅粉がある。これらの中で、顔料粒子の成分として好ましいものには、酸化チタン、酸化鉄がある。本発明にかかる顔料粒子は、これらのうち二種類以上の物質の複合体であってもよい。
【００３０】
［指紋検出用粉末の製造方法］
本発明にかかる指紋検出用粉末の製造方法は特に限定されない。例えば、本発明にかかる指紋検出用粉末は、次に述べられる方法により製造されてもよい。その方法とは、周知の方法により顔料粒子を形成した後、その顔料粒子の表面に周知の方法でシリコーンを付着させ、水および界面活性剤と混合するというものである。その他、周知の方法によりシリコーンを含有する顔料粒子を形成した後、その顔料粒子を水および界面活性剤と混合するという方法で本発明にかかる指紋検出用粉末を製造してもよい。その他、周知の方法により顔料粒子を形成した後、その顔料粒子とポリエーテル変性シリコーンと水および界面活性剤と混合するという方法で本発明にかかる指紋検出用粉末を製造してもよい。
【００３１】
［指紋検出用粉末の使用方法］
本発明にかかる指紋採取溶液の使用方法は特に限定されない。例えば、噴霧又は浸漬により本発明にかかる指紋採取溶液を指紋が採取される箇所に接触させた後、水洗によりその箇所から余剰の顔料粒子を除去するという方法がある。噴霧又は浸漬の方法は特に限定されるものではない。例えば、本発明にかかる指紋採取溶液は、霧吹き又は噴霧用ポンプによって噴霧されてもよい。上記水洗は顕在化した指紋に水をかけることで十分である。
【実施例】
【００３２】
以下、本発明の一実施形態における実施例１〜２を比較例１〜７と共に説明する。
［実施例１］
作業者は、酸化チタン(石原産業株式会社製ＣＲ−ＥＬ)１０ｇとポリオキシエチレン・ポリオキシプロピレン変性シリコーン（東レ・ダウコーニング株式会社製ＳＨ３７４９）０．１ｇとを良く混合した後、それにイオン交換水１００ｇとオクチルジメチルエチルアンモニウムエチルサルフェート０．１ｇとを加え攪拌した。撹拌されたものが、本実施例にかかる指紋検出液である。
【００３３】
［実施例２］
作業者は、酸化鉄(関東化学株式会社製  四酸化三鉄  鹿一級)５ｇとポリオキシエチレン・ポリオキシプロピレン変性シリコーン（東レ・ダウコーニング株式会社製ＳＨ３７４９）０．１ｇとを良く混合した後、それにイオン交換水１００ｇとオクチルジメチルエチルアンモニウムエチルサルフェート０．１ｇとを加え攪拌した。撹拌されたものが、本実施例にかかる指紋検出液である。
【００３４】
［比較例１］
作業者は、市販の指紋検出粉（株式会社科学装備研究所  スーパーホワイト）１０ｇとイオン交換水１００ｇとを混合した。混合されたものが、本比較例にかかる指紋検出液である。
【００３５】
［比較例２］
作業者は、アミノプロピルジメチコン１ｇとジメチルシリコーン１ｇとイソプロピルアルコール２０ｇと酢酸０．１ｇとイオン交換水７７．９ｇとを混合攪拌した。作業者は、その混合撹拌によって得られた混合水溶液１００ｇに対し、酸化チタン１０ｇを加えた。その混合水溶液が、本比較例にかかる指紋検出液である。
【００３６】
［比較例３］
作業者は、四三酸化鉄３ｇとポリオキシエチレンラウリルエーテル(花王ケミカル製エマルゲン１３０ｋ)０．３ｇとイオン交換水１００ｇとを混合した。混合されたものが、本比較例にかかる指紋検出液である。
【００３７】
［比較例４］
作業者は、酸化チタン１０ｇとイオン交換水１００ｇとオクチルジメチルエチルアンモニウムエチルサルフェート０．１ｇとを混合し攪拌した。撹拌されたものが、本比較例にかかる指紋検出液である。
【００３８】
［比較例５］
作業者は、酸化チタン１０ｇとポリオキシエチレン・ポリオキシプロピレン変性シリコーン（東レ・ダウコーニング株式会社製ＳＨ３７４９）０．１ｇとを混合した後、イオン交換水１００ｇを加えた。イオン交換水１００ｇが加えられたものが、本比較例にかかる指紋検出液である。
【００３９】
［比較例６］
作業者は、酸化チタン１０ｇとポリオキシエチレン・ポリオキシプロピレン変性シリコーン（東レ・ダウコーニング株式会社製ＳＨ３７４９）０．１ｇとを混合した後、イオン交換水１００ｇと直鎖アルキルベンゼンスルホン酸ナトリウム０．１ｇとを加え攪拌した。撹拌されたものが、本比較例にかかる指紋検出液である。
【００４０】
［比較例７］
作業者は、酸化チタン１０ｇとポリオキシエチレン・ポリオキシプロピレン変性シリコーン（東レ・ダウコーニング株式会社製ＳＨ３７４９）０．１ｇとを混合した後、イオン交換水１００ｇとポリオキシエチレンソルビタンモノオレート０．１ｇとを加え攪拌した。撹拌されたものが、本比較例にかかる指紋検出液である。
【００４１】
［濡れた検体に対する効果の確認］
作業者は、次に述べられる手順により、濡れた箇所からの指紋採取が可能か否かを確認した。まず、作業者は、検体を作成した。検体は、次に述べられる素材の板又はシートであった。その素材は、アクリル、アルミ、ガラス、タイル、クラフトテープの非粘着面、クラフトテープの粘着面、養生テープの非粘着面、養生テープの粘着面、ビニルテープの非粘着面、および、ビニルテープの粘着面であった。１種類の素材につき９枚の検体が作成された。次に、作業者は、すべての検体に指を接触させた。これにより、それらに指紋成分が付着した。次に、作業者は、すべての検体に水を吹き付けた。これにより、それらの検体が水に濡れた状態が再現された。次に、作業者は、それらの検体に指紋検出液を噴霧した。噴霧される指紋検出液は、実施例１，２にかかる指紋検出液と比較例１乃至比較例７にかかる指紋検出液とであった。指紋検出液が噴霧されると、作業者は、その検体を水洗した。水洗により、各検体の表面に指紋が現れた。指紋が現れると、作業者は、その指紋の鮮明さを観察し評価した。表１には評価の結果が示される。
【００４２】
【表１】
2020189160.tif 000010
【００４３】
表１における二重丸印は、指紋の隆線間に顔料粒子の付着がなく、かつ、指紋を表わす線が濃いことを意味する。表１における一重丸印は、指紋の隆線間に顔料粒子の付着がないものの、指紋を表わす線が薄いことを意味する。表１における三角印は、指紋の隆線間に顔料粒子の付着があることを意味する。表１におけるバツ印は、指紋の隆線がほとんど見えないことを意味する。表１におけるアスタリスクは、指紋が検体自体の色と同化するため指紋が見えないことを意味する。
【００４４】
図１は、指紋がつけられた検体（素材はアクリル）へ実施例１にかかる指紋検出液を噴霧し水洗した結果得られた指紋の写真である。図２は、指紋がつけられた検体（素材はガラス）へ実施例１にかかる指紋検出液を噴霧し水洗した結果得られた指紋の写真である。図３は、指紋がつけられた検体（素材はタイル）へ実施例１にかかる指紋検出液を噴霧し水洗した結果得られた指紋の写真である。図４は、指紋がつけられた検体（素材はアクリル）へ実施例２にかかる指紋検出液を噴霧し水洗した結果得られた指紋の写真である。図５は、指紋がつけられた検体（素材はガラス）へ実施例２にかかる指紋検出液を噴霧し水洗した結果得られた指紋の写真である。図６は、指紋がつけられた検体（素材はタイル）へ実施例２にかかる指紋検出液を噴霧し水洗した結果得られた指紋の写真である。図７は、指紋がつけられた検体（素材はクラフトテープの非粘着面）へ実施例２にかかる指紋検出液を噴霧し水洗した結果得られた指紋の写真である。図８は、指紋がつけられた検体（素材はクラフトテープの粘着面）へ実施例２にかかる指紋検出液を噴霧し水洗した結果得られた指紋の写真である。図１乃至図８から明らかなように、実施例１，２にかかる指紋検出液によって得られた指紋は鮮やかである。
【００４５】
一方、図９は、指紋がつけられた検体（素材はアクリル）へ比較例１にかかる指紋検出液を噴霧し水洗した結果得られた指紋の写真である。図１０は、指紋がつけられた検体（素材はガラス）へ比較例１にかかる指紋検出液を噴霧し水洗した結果得られた指紋の写真である。図１１は、指紋がつけられた検体（素材はタイル）へ比較例１にかかる指紋検出液を噴霧し水洗した結果得られた指紋の写真である。図１２は、指紋がつけられた検体（素材はアクリル）へ比較例２にかかる指紋検出液を噴霧し水洗した結果得られた指紋の写真である。図１３は、指紋がつけられた検体（素材はガラス）へ比較例２にかかる指紋検出液を噴霧し水洗した結果得られた指紋の写真である。図１４は、指紋がつけられた検体（素材はタイル）へ比較例２にかかる指紋検出液を噴霧し水洗した結果得られた指紋の写真である。図１５は、指紋がつけられた検体（素材はアクリル）へ比較例３にかかる指紋検出液を噴霧し水洗した結果得られた指紋の写真である。図１６は、指紋がつけられた検体（素材はガラス）へ比較例３にかかる指紋検出液を噴霧し水洗した結果得られた指紋の写真である。図１７は、指紋がつけられた検体（素材はタイル）へ比較例３にかかる指紋検出液を噴霧し水洗した結果得られた指紋の写真である。図１８は、指紋がつけられた検体（素材はクラフトテープの非粘着面）へ比較例３にかかる指紋検出液を噴霧し水洗した結果得られた指紋の写真である。図１９は、指紋がつけられた検体（素材はクラフトテープの粘着面）へ比較例３にかかる指紋検出液を噴霧し水洗した結果得られた指紋の写真である。図９乃至図１９から明らかなように、比較例１乃至比較例３にかかる指紋検出液によって得られた指紋は検体の素材に応じてその鮮やかさが異なる。
【００４６】
以上の説明から明らかな通り、実施例１、２にかかる指紋検出液は、比較例にかかる指紋検出液に比べ、濃度および配合の調整をしなくても、指紋を検出可能な素材の種類と検出される指紋の鮮明さとにおいて優れた結果を示した。すなわち、本発明にかかる指紋検出液は、濃度および配合の調整をしなくても、指紋検出が可能な素材の種類数と鮮明な指紋を採取できる点とにおいて、従来の指紋検出液に比べ、優れた効果が見られた。
【図１】
2020189160.tif 000013
【図２】
2020189160.tif 000014
【図３】
2020189160.tif 000015
【図４】
2020189160.tif 000016
【図５】
2020189160.tif 000017
【図６】
2020189160.tif 000018
【図７】
2020189160.tif 000019
【図８】
2020189160.tif 000020
【図９】
2020189160.tif 000021
【図１０】
2020189160.tif 000022
【図１１】
2020189160.tif 000023
【図１２】
2020189160.tif 000024
【図１３】
2020189160.tif 000025
【図１４】
2020189160.tif 000026
【図１５】
2020189160.tif 000027
【図１６】
2020189160.tif 000028
【図１７】
2020189160.tif 000029
【図１８】
2020189160.tif 000030
【図１９】
2020189160.tif 000031